(57)【要約】【課題】  躓きによる転倒事故の発生を抑制できるつま先アップ履物を提供し、また歩行をスムーズにした履物を提供すること。【解決手段】  つま先アップ履物１０であって、靴底２０のつま先部２２の側に設けたトウスプリング部２３の高さが２５mm以上７０mm以下の範囲にあるもの。【選択図】  図１
0003201525.tif 000002
【実用新案登録請求の範囲】
【請求項１】
靴底のつま先部の側に設けたトウスプリング部の高さが２５mm以上７０mm以下の範囲にあるつま先アップ履物。
【請求項２】
前記トウスプリング部の高さが２５mm以上５０mm以下の範囲にある請求項１に記載のつま先アップ履物。
【請求項３】
前記靴底における踵部とトウスプリング部の間にて、履物を地面の上に正立させた状態で該地面に接地する靴底接地部の中底側に、衝撃吸収材を内蔵してなる請求項１又は２に記載のつま先アップ履物。
【請求項４】
前記つま先部につま先アップ表示部を設けた請求項１〜３のいずれかに記載のつま先アップ履物。
【請求項５】
前記履物が長靴、セーフティシューズ、運動靴、作業靴、革靴、サンダル、子供靴、介護シューズ、登山靴、ハイキングシューズ、防寒靴、ルームシューズ、加硫靴、ウォーキングシューズ、ガーデンシューズ、ガーデンブーツのいずれかである請求項１〜４のいずれかに記載のつま先アップ履物。
【考案の詳細な説明】
【技術分野】
【０００１】
本考案はつま先アップ履物に関する。
【背景技術】
【０００２】
従来の履物として、特許文献１に記載の如く、靴底のつま先部の側にトウスプリング部を設けたものがある。
【０００３】
トウスプリング部は、靴底をつま先部の側で上方に湾曲したものであり、使用者が足を蹴り出すときに、つま先部がその動作を妨げず、スムーズな歩行を図ったものである。
【先行技術文献】
【特許文献】
【０００４】
【特許文献１】特許4704778号公報
【考案の概要】
【考案が解決しようとする課題】
【０００５】
しかしながら、従来の履物において、当該履物を地面の上に正立させた状態で、トウスプリング部が地面に対してなす高さ（以下、トウスプリング部の高さという）は、通常１８mm程度、高くても２５mmに満たない。
【０００６】
このため、使用者が加齢によって筋力が低下したり、疲労等によって膝の曲がりが不十分になると、つま先部が地面（路面）に接触したり、地面の上の障害物に接触する確率が高くなり、結果として、転倒事故を引き起こすおそれがある。
【０００７】
厚生労働省の労働者死傷病報告によれば、仕事中に転倒して４日以上仕事を休む人は、年間26,000人ほどで、労働災害の種類では最も多い。特に高齢者が転倒して怪我をした場合には重症化する割合が高く、日常生活での不慮の事故による死因の中でも、転倒、転落死は交通事故死を超えてきている。
【０００８】
本考案は、このような状況の中で開発されたものであり、躓きによる転倒事故の発生を抑制できるつま先アップ履物を提供することにある。
【課題を解決するための手段】
【０００９】
請求項１に係る考案は、靴底のつま先部の側に設けたトウスプリング部の高さが２５mm以上７０mm以下の範囲にあるつま先アップ履物である。
【００１０】
請求項２に係る考案は、請求項１に係る考案において更に、前記トウスプリング部の高さが２５mm以上５０mm以下の範囲にあるようにしたものである。
【００１１】
請求項３に係る考案は、請求項１又は２に係る考案において更に、前記靴底における踵部とトウスプリング部の間にて、履物を地面の上に正立させた状態で該地面に接地する靴底接地部の中底側に、衝撃吸収材を内蔵してなるようにしたものである。
【００１２】
請求項４に係る考案は、請求項１〜３のいずれかに係る考案において更に、前記つま先部につま先アップ表示部を設けたものである。
【００１３】
請求項５に係る考案は、請求項１〜４のいずれかに係る考案において更に、前記履物が長靴、セーフティシューズ、運動靴、作業靴、革靴、サンダル、子供靴、介護シューズ、登山靴、ハイキングシューズ、防寒靴、ルームシューズ、加硫靴、ウォーキングシューズ、ガーデンシューズ、ガーデンブーツのいずれかであるようにしたものである。
【考案の効果】
【００１４】
（請求項１、２）
(a)つま先アップ履物として、靴底のつま先部の側に設けたトウスプリング部の高さを２５mm以上７０mm以下の範囲に設定した。これにより、使用者が加齢によって筋力が低下したり、疲労等によって、歩行時の膝の曲がりが不十分になっても、つま先部がトウスプリング部の高さ分だけ通常よりも大きく反り上がって、地面（路面）や地面の上の障害物に接触する確率が低減し、結果として、躓きにくく、転倒事故の発生を抑制できる。
【００１５】
(b)使用者の歩行周期における、つま先蹴り出し期以降の足が宙に浮いている間（このとき、使用者はつま先に地面に対する踏み力を生じさせず、つま先を反り上げ傾向にしている）に、通常よりも高さの高いトウスプリング部が使用者のつま先を反り上げる作用を自然に助長し、歩行の次の動作にスムーズに入ることができる。これにより、歩行周期において、踵接地期以降の動作が楽になり、快適で楽な歩行ができるようになる。
【００１６】
（請求項３）
(c)トウスプリング部を高くしたことにより、使用者の歩行周期における踵接地期に、靴底における踵部とトウスプリング部の間にて、履物を地面の上に正立させた状態で該地面に接地する靴底接地部に伝わる衝撃が強くなることがある。従って、踵接地期〜足裏全体接地期に衝撃を受けることが予測される上記靴底接地部に衝撃吸収材を内蔵することで、その衝撃を緩和できる。
【００１７】
（請求項４）
(d)トウスプリング部を高くしたことによって通常よりも大きく反り上がったつま先部の外観によって、この履物がつま先アップ履物であることの認識を与える他に、つま先部につま先アップ表示部を設けることにより、この履物がつま先アップ履物であることを一層確実にアピールできる。
【００１８】
（請求項５）
(e)上述(a)〜(d)のつま先アップ履物を、長靴、セーフティシューズ、運動靴、作業靴、革靴、サンダル、子供靴、介護シューズ、登山靴、ハイキングシューズ、防寒靴、ルームシューズ、加硫靴、ウォーキングシューズ、ガーデンシューズ、ガーデンブーツ等に広く適用できる。
【図面の簡単な説明】
【００１９】
【図１】図１は履物を示し、（Ａ）はつま先アップ履物を示す側面図、（Ｂ）は一般の履物を示す側面図である。
【図２】図２はつま先アップ履物に設けたつま先アップ表示部を示す模式図である。
【図３】図３はつま先アップ履物に付ける商品説明書を示す模式図である。
【図４】図４はつま先アップ履物の歩行周期を示す模式図である。
【図５】図５は一般の履物の歩行周期を示す模式図である。
【考案を実施するための形態】
【００２０】
図１に示したつま先アップ履物１０は、ゴム、ＰＶＣ、ＥＶＡ、ＰＵ等の素材から製造された雨靴、又は防水型の長靴の例であり、靴底２０と甲３０と胴４０を有する。
【００２１】
つま先アップ履物１０において、靴底２０は、後部に踵部２１を設け、前部につま先部２２を設けている。靴底２０は、つま先部２２の側で上方に湾曲されてなるトウスプリング部２３を備える。
【００２２】
しかるに、つま先アップ履物１０にあっては、靴底２０のつま先部２２の側に設けたトウスプリング部２３の高さＡ（履物１０を地面の上に正立させた状態で、トウスプリング部２３が地面に対してなす高さ）を２５mm以上７０mm以下の範囲にあるいずれかの値に設定している。Ａが２５mm未満であると、本発明による躓き防止ひいては転倒事故抑制効果を十分に発揮できない。Ａが７０mmを超えると、トウスプリング部２３が使用者のつま先に過大な反り上げ力を及ぼし、履き心地を悪くする。本考案者の実験結果によれば、Ａの好適範囲は２５mm以上５０mm以下である。
【００２３】
つま先アップ履物１０において、靴底２０における踵部２１とトウスプリング部２３の間にて、履物１０を地面の上に正立させた状態で該図面に接地する靴底接地部２４の中底（靴内において足裏の当たる板状の部分）側に、衝撃吸収材２５が内蔵される。衝撃吸収材２５の具体的材質の例としては、天然ゴム、合成ゴム、ＴＰＲ、ポリウレタン、ＥＶＡ、ポリエチレン、フェルト素材等を挙げることができる。
【００２４】
尚、つま先アップ履物１０において、靴底２０における踵部２１の内部には、通常のクッション部２６を内蔵できる。
【００２５】
衝撃吸収材２５、クッション部２６は靴底２０の全体に内蔵したり、靴内足裏全体にインソールを装備しても良い。
【００２６】
つま先アップ履物１０において、使用者のつま先が靴底２０に通常より大きな押下げ力を及ぼし、これが結果として、甲３０に通常より大きな引張圧力を生じさせる。この大きな引張圧力による甲３０の部分の破壊を防止すべく、甲３０の部分の厚みを通常より厚くすることも考えられる。
【００２７】
つま先アップ履物１０において、靴底２０と甲３０を接着剤で接合したり、ゴムの加硫によって接合するとき、使用者のつま先が靴底２０に及ぼす通常より大きな押下げ力が靴底２０と甲３０の上記接合部を剥離させることがないように、通常より厚いテープを上記接合部に巻き付けて該接合部の接合強度を強化することも考えられる。
【００２８】
つま先アップ履物１０において、靴底２０のつま先部２２には、図２に示す如く、つま先アップ表示部２２Ｍが設けられる。つま先アップ表示部２２Ｍは、本実施例ではつま先部２２の側面に印字された「ＴＯＥ  ＵＰ」（「つま先アップ」等でも可）の文字からなり、この履物がトウスプリング部２３の高さを通常よりも高くしたつま先アップ履物１０であることを表示している。
【００２９】
つま先アップ１０において、靴底２０を甲３０と異なるように着色する。例えば黒色の甲３０に対し、靴底２０を黄色にし、その黄色に着色されているつま先部２２におけるトウスプリング部２３の高さが通常よりも高くなっていることを目立たせるものであっても良い。
【００３０】
つま先アップ履物１０は、商品陳列段階で、図３に示す如くの商品説明書５０を付すことができる。商品説明書５０は、「ＴＯＥ  ＵＰ」、「つま先が上がった設計だから躓きにくい！」、「安心」、「快適歩行」等の文字により、この履物がトウスプリング部２３の高さを通常よりも高くしたつま先アップ履物１０であることを説明している。
【００３１】
図４はつま先アップ履物１０を着用した使用者の歩行周期「i.踵接地期、ii.足裏全体接地期、iii.つま先蹴り出し期、iv.躓き危険期」を示し、図５は一般の履物１を着用した使用者の歩行周期「i.踵接地期、ii.足裏全体接地期、iii.つま先蹴り出し期、iv.躓き危険期」を示す。図４、図５において地面に障害物を設置し、つま先アップ履物１０と一般の履物１を履き比べたとき、一般の履物１よりつま先アップ履物１０の方が、障害物に接触する確率が低く、また地面に障害物がない場合でも、靴底面が地面（路面）に接触する確率が低く、結果として、転倒事故が発生する確率を低くすることが認められた。
【００３２】
従って、本実施例によれば以下の作用効果を奏する。
(a)つま先アップ履物１０として、靴底２０のつま先部２２の側に設けたトウスプリング部２３の高さを２５mm以上７０mm以下の範囲に設定した。これにより、使用者が加齢によって筋力が低下したり、疲労等によって、歩行時の膝の曲がりが不十分になっても、つま先部２２がトウスプリング部２３の高さ分だけ通常よりも大きく反り上がって、地面（路面）や地面の上の障害物に接触する確率が低減し、結果として、躓きにくく、転倒事故の発生を抑制できる。
【００３３】
(b)使用者の歩行周期における、つま先蹴り出し期以降の足が宙に浮いている間に、通常よりも高さの高いトウスプリング部２３が使用者のつま先を反り上げる作用を自然に及ぼし、歩行の次の動作にスムーズに入ることができる。これにより、歩行周期において、踵接地期以降の動作が楽になり、快適で楽な歩行ができるようになる。
【００３４】
(c)トウスプリング部２３を高くしたことにより、使用者の歩行周期における踵接地期に、靴底２０における踵部２１とトウスプリング部２３の間にて、履物１０を地面の上に正立させた状態で該地面に接地する靴底接地部２４に伝わる衝撃が強くなることがある。従って、踵接地期〜足裏全体接地期に衝撃を受けることが予測される上記靴底接地部２４に衝撃吸収材２５を内蔵することで、その衝撃を緩和できる。
【００３５】
(d)トウスプリング部２３を高くしたことによって通常よりも大きく反り上がったつま先部２２の外観によって、この履物がつま先アップ履物１０であることの認識を与える他に、つま先部２２につま先アップ表示部２２Ｍを設けることにより、この履物がつま先アップ履物１０であることを一層確実にアピールできる。
【００３６】
つま先アップ履物１０の生産時には以下のメリットもある。
(1)生産の当初に「つま先アップ金型」を開発してしまえば、一般の履物と比較しても、材料や工程の製造コストが上がるものではない。従って、一般の履物のコストレベルで商品に高付加価値を付けることができる。
【００３７】
(2)開発した１種類の「つま先アップ金型」によって、靴底２０、甲３０、胴４０、裏布等の素材や形状を変更したり、軽量化、強化を図ることにより多様な商品を開発することができる。靴底２０の変更とは、意匠変更の他、ロール底やスパイク底、ワンタッチスパイク底、ピンスパイク底、厚底タイプ等を含む。また、先芯を入れたセーフティタイプや、インソールを入れて履き心地を良くしたつま先アップ履物１０の商品化を図ることもできる。胴４０の変更とは、靴高２０cm程度のショートタイプ、すね対応部の前面上部を欠如した屈曲タイプ等を含む。
【００３８】
以上、本考案の実施例を図面により詳述したが、本考案の具体的な構成はこの実施例に限られるものではなく、本考案の要旨を逸脱しない範囲の設計の変更等があっても本考案に含まれる。例えば、本考案のつま先アップ履物１０は、長靴に限らず、セーフティシューズ、運動靴、作業靴、革靴、サンダル、子供靴、介護シューズ、登山靴、ハイキングシューズ、防寒靴、ルームシューズ、加硫靴、ウォーキングシューズ、ガーデンシューズ、ガーデンブーツ等にも広く適用できる。
【産業上の利用可能性】
【００３９】
本考案は、躓きによる転倒事故の発生を抑制できるつま先アップ履物を提供することができ、また、歩行をスムーズにした履物を提供することができる。
【符号の説明】
【００４０】
１０  つま先アップ履物
２０  靴底
２１  踵部
２２  つま先部
２２Ｍ  つま先アップ表示部
２３  トウスプリング部
２４  靴底接地部
２５  衝撃吸収材
【図１】
0003201525.tif 000003
【図２】
0003201525.tif 000004
【図３】
0003201525.tif 000005
【図４】
0003201525.tif 000006
【図５】
0003201525.tif 000007